(57)【要約】【課題】ボールが円滑に流れ、且つ、組立体をそのままの形で移動することが容易な組立ブロック玩具を提供すること。【解決手段】第１面１１に、端部が当該第１面に隣接する各面の幅方向中央に達し、ボール２の半部を受容可能で前記ボール２を直進又は左右にターンさせ得る十字状の第１溝１２が形成され、且つ、第２面２１に、前記ボール２の半部を受容可能で前記十字溝に組み合わされた場合に所定のトンネル状のボール通路を画成する第２溝３３，３６，３８が形成されたキューブブロック３ａ〜３ｂを複数備え、前記キューブブロックの前記第１面に隣接する各面には、前記第１面から前記第２面に向かって左側の同じ箇所に第１係合部(嵌合突起２７)が形成され、右側の同じ箇所に、前記第１係合部に係合して前記キューブブロック同士を結合可能な第２係合部(嵌合孔２８)が形成されている。【選択図】図２
2019180566.tif 000002
【特許請求の範囲】
【請求項１】
組立によって連続したボール通路を形成可能な組立ブロック玩具であって、
第１面に、端部が当該第１面に隣接する各面の幅方向中央に達し、ボールの半部を受容可能で前記ボールを直進又は左右にターンさせ得る十字状の第１溝が形成され、且つ、前記第１面とは反対側の第２面に、前記ボールの半部を受容可能で前記十字溝に組み合わされた場合に所定のトンネル状のボール通路を画成する第２溝が形成されたキューブブロックを複数備え、
前記キューブブロックの前記第１面に隣接する各面には、前記第１面から前記第２面に向かって左側の同じ箇所に第１係合部が形成され、右側の同じ箇所に、前記第１係合部に係合して前記キューブブロック同士を結合可能な第２係合部が形成されていることを特徴とする組立ブロック玩具。
【請求項２】
前記第１係合部と前記第２係合部とは視覚上で互いに識別可能に構成されていることを特徴とする請求項１に記載の組立ブロック玩具。
【請求項３】
前記第１係合部は嵌合突起及び嵌合孔の一方から構成され、前記第２係合部は前記嵌合突起及び前記嵌合孔の他方から構成されていることを特徴とする請求項２に記載の組立ブロック玩具。
【請求項４】
前記キューブブロックの前記第２面には第３係合部が設けられ、前記第１面には、前記第２面と正対された状態で前記第３係合部に係合して前記キューブブロック同士を結合可能な第４係合部が設けられ、前記第３係合部と前記第４係合部は、結合する一方の前記キューブブロックの前記第１面に隣接する任意の面と他方の前記キューブブロックの前記第１面に隣接する任意の面との向きを一致させて係合可能となっていることを特徴とする請求項１〜請求項３のいずれか一項に記載の組立ブロック玩具。
【請求項５】
前記第３係合部は嵌合突起から構成され、前記第４係合部は嵌合孔から構成されていることを特徴とする請求項４に記載の組立ブロック玩具。
【請求項６】
前記複数のキューブブロックの少なくとも１つは、一方の端部が前記第１面に隣接する１つの面の中央に開口し、他方の端部が前記第１面以外の面の中央に開口するトンネル状のボール通路が形成され、前記第１係合部と前記第２係合部とは、一方の前記キューブブロックと他方の前記キューブブロックとを前記第１面に直交する方向に対して半個分ずらした状態で互いに係合可能となっていることを特徴とする請求項１〜請求項５のいずれか一項に記載の組立ブロック玩具。
【請求項７】
前記キューブブロックは、前記第１面側の半部と前記第２面側の半部とが視覚上で互いに識別可能に構成されていることを特徴とする請求項１〜請求項６のいずれか一項に記載の組立ブロック玩具。
【発明の詳細な説明】
【技術分野】
【０００１】
本発明は組立ブロック玩具に関する。
【背景技術】
【０００２】
従来、組立ブロック玩具として、複数のキューブブロックを組み立てることによって連続したボール通路を形成可能なものが知られている。
【先行技術文献】
【非特許文献】
【０００３】
【非特許文献１】ＵＲＬ：https://192abc.com/95871
【発明の概要】
【発明が解決しようとする課題】
【０００４】
しかしながら、このブロック玩具では、キューブブロックを縦横に並べて組み立てる際に隣接するキューブブロック同士を結合しないため、組立の際或いは遊んでいる間に隣接するキューブブロック同士にずれが生じたりしてボールが円滑に流れないという問題があった。また、キューブブロックを組み立てた後に、形を崩さずにそのままその組立体を別の場所に移動するのが難しかった。
本発明は、かかる問題点に鑑みなされたもので、ボールが円滑に流れ、且つ、組立体をそのままの形で移動することが容易な組立ブロック玩具を提供することを目的としている。
【課題を解決するための手段】
【０００５】
第１の手段は、
組立によって連続したボール通路を形成可能な組立ブロック玩具であって、
第１面に、端部が当該第１面に隣接する各面の幅方向中央に達し、ボールの半部を受容可能で前記ボールを直進又は左右にターンさせ得る十字状の第１溝が形成され、且つ、前記第１面とは反対側の第２面に、前記ボールの半部を受容可能で前記十字溝に組み合わされた場合に所定のトンネル状のボール通路を画成する第２溝が形成されたキューブブロックを複数備え、
前記キューブブロックの前記第１面に隣接する各面には、前記第１面から前記第２面に向かって左側の同じ箇所に第１係合部が形成され、右側の同じ箇所に、前記第１係合部に係合して前記キューブブロック同士を結合可能な第２係合部が形成されていることを特徴とする。
【０００６】
第２の手段は、第１の手段において、前記第１係合部と前記第２係合部とは視覚上で互いに識別可能に構成されていることを特徴とする。
【０００７】
第３の手段は、第２の手段において、前記第１係合部は嵌合突起及び嵌合孔の一方から構成され、前記第２係合部は前記嵌合突起及び前記嵌合孔の他方から構成されていることを特徴とする。
【０００８】
第４の手段は、第１の手段〜第３の手段のいずれか一の手段において、前記キューブブロックの前記第２面には第３係合部が設けられ、前記第１面には、前記第２面と正対された状態で前記第３係合部に係合して前記キューブブロック同士を結合可能な第４係合部が設けられ、前記第３係合部と前記第４係合部は、結合する一方の前記キューブブロックの前記第１面に隣接する任意の面と他方の前記キューブブロックの前記第１面に隣接する任意の面との向きを一致させて係合可能となっていることを特徴とする。
【０００９】
第５の手段は、第４の手段において、前記第３係合部は嵌合突起から構成され、前記第４係合部は嵌合孔から構成されていることを特徴とする。
【００１０】
第６の手段は、第１の手段〜第５の手段のいずれか一の手段において、前記複数のキューブブロックの少なくとも１つは、一方の端部が前記第１面に隣接する１つの面の中央に開口し、他方の端部が前記第１面以外の面の中央に開口するトンネル状のボール通路が形成され、前記第１係合部と前記第２係合部とは、一方の前記キューブブロックと他方の前記キューブブロックとを前記第１面に直交する方向に対して半個分ずらした状態で互いに係合可能となっていることを特徴とする。
【００１１】
第７の手段は、第１の手段〜第６の手段のいずれか一の手段において、前記キューブブロックは、前記第１面側の半部と前記第２面側の半部とが視覚上で互いに識別可能に構成されていることを特徴とする。
【発明の効果】
【００１２】
第１の手段によれば、第１面に隣接する各面には、前記第１面から前記第２面に向かって左側の同じ箇所に第１係合部が形成され、右側の同じ箇所に、第１係合部に係合して前記キューブブロック同士を結合可能な第２係合部が設けられているので、結合するキューブブロックの第１面の向きを同じにしておけば、一のキューブブロックの第１面に隣接する４つの面のいずれにも他のキューブブロックの第１面に隣接する任意の面を結合することができるので、ボールが円滑に流れるとともに、移動が簡単にでき、しかも、組立の自由度も大きくなる。
また、複数のキューブブロックは、第１面に、端部が当該第１面に隣接する各面の幅方向中央に達し、半部を受容可能でボールを直進又は左右にターンさせ得る十字状の第１溝が形成され、第１面とは反対側の第２面に、ボールの半部を受容可能で前記十字溝に組み合わされた場合に所定のトンネル状通路を画成する第２溝が形成されているので、第１面と第２面を付き合わせた際にトンネル状のボール通路が形成されことから、興趣性の高いブロック玩具が実現できる。
【００１３】
第２の手段によれば、第１係合部と第２係合部とは視覚上で互いに識別可能に構成されているので、組立が簡単に行えることになる。
【００１４】
第３の手段によれば、第１係合部は嵌合突起及び嵌合孔の一方から構成され、第２係合部は嵌合突起及び嵌合孔の他方から構成されているので、組立が簡単に行えることになる。
【００１５】
第４の手段によれば、第２面と第１面とを正対させれば、どんな向きでも第２面と第１面とを結合できるので、組立の自由度が高いものとなる。
【００１６】
第５の手段によれば、第３係合部は嵌合突起から構成され、第４係合部は嵌合孔から構成されているので、組立が簡単に行えることになる。
【００１７】
第６の手段によれば、一方の前記キューブブロックと他方の前記キューブブロックとを前記第１面に直交する方向に半個分ずらした状態でボール通路を繋ぐことができる。
【００１８】
第７の手段によれば、第１面側の半部と第２面側の半部とが視覚上で互いに識別可能に構成されているので、組立が簡単に行えることになる。
【図面の簡単な説明】
【００１９】
【図１】実施形態の組立ブロック玩具を示した斜視図である。
【図２】第１のキューブブロックを示した斜視図である。
【図３】(Ａ)は第１のキューブブロックの底面図、(Ｂ)はその平面図である。
【図４】第２のキューブブロックを示した斜視図である。
【図５】(Ａ)は第１のキューブブロックの底面図、(Ｂ)はその平面図である。
【図６】第３のキューブブロックを示した斜視図である。
【図７】(Ａ)は第１のキューブブロックの底面図、(Ｂ)はその平面図である。
【図８】(Ａ)はキューブブロックの十字溝を示した図、(Ｂ)はその十字溝を構成する溝部分を示した図である。
【図９】(Ａ)はキューブブロックの上半部の底面図、(Ｂ)はその下半部の平面図である。
【図１０】(Ａ)はキューブブロックの上面の溝の各種態様を示した平面図、(Ｂ)は中段のボール通路の各種態様を示した平面図である。
【図１１】(Ａ)はキューブブロックの上面の溝の各種態様を示した平面図、(Ｂ)は中段のボール通路の各種態様を示した平面図である。
【図１２】(Ａ)は第１のキューブブロックの上面の溝と第３のキューブブロックの上面の溝とを繋いで結合した状態を示した図、(Ｂ)は(Ａ)は第１のキューブブロックの中段のボール通路と第３のキューブブロックの上面の溝とを繋いで結合した状態を示した図である。
【図１３】(Ａ)は第１のキューブブロックの中段のボール通路と第３のキューブブロックの中段のボール通路とを繋いで結合した状態を示した図、(Ｂ)は(Ａ)は第１のキューブブロックの上面の溝と第３のキューブブロックの中段のボール通路とを繋いで結合した状態を示した図である。
【図１４】(Ａ)は第１のキューブブロックの上に他のキューブブロックを結合した状態を示した平面図、(Ｂ)は第２のキューブブロックの上に他のキューブブロックを結合した状態を示した平面図、(Ｃ)は第３のキューブブロックの上に他のキューブブロックを結合した状態を示した平面図である。
【発明を実施するための形態】
【００２０】
以下、本発明に係る組立ブロック玩具を実施形態に基づいて説明する。
【００２１】
図１は組立ブロック玩具１００のブロック組立体１の一例と、ボール２とを示している。この組立体１は、例えば、３種類のキューブブロック３ａ〜３ｃを備えている。勿論、３種類のキューブブロック３ａ〜３ｃ以外のキューブブロックを備えていてもよい。
【００２２】
１．キューブブロック３ａ〜３ｃの共通点
(底面)
キューブブロック３(実施形態のキューブブロックを総称するときはキューブブロック３とする。)は、底として使用されることが推奨される面が設定されている。図２〜図７に示すように、キューブブロック３の底面（第１面）１１には十字溝１２(図８(Ａ))が形成されている。この十字溝１２は、図８(Ｂ)示すように、２本の互いに直交する直線溝１３，１３と、角部分にアールが形成された互いに向きが異なる４つの鉤状溝１５，１５，１５，１５とを複合的に組み合わせた形となっている。そして、十字溝１２は、ボール２の上半部を受容可能となるように断面半円状となっている。簡単に言えば、この十字溝１２は、ボール２の上半部を受容し、ボール２の直進と左右へのターンを許容する形となっている。
また、キューブブロック３には、図３(Ａ)、図５(Ａ)及び図７(Ａ)に示すように、底面１１の四隅に位置する土手部分１９の各々に６角形の嵌合孔２０が１個ずつ形成されている。
【００２３】
(上面)
上面（第２面）２１の４隅の各々には円柱形の嵌合突起２２が１個ずつ形成されている。この嵌合突起２２は上記嵌合孔２０に嵌合可能となっている。この嵌合突起２２と上記嵌合孔２０とを嵌合させることで、キューブブロック同士が結合される。この場合、下側のキューブブロック３の上面２１と上側のキューブブロック３の底面１１とを正対させれば、下側のキューブブロック３に対して上側のキューブブロック３をどの向きでも結合させることができる。
【００２４】
(側面)
側面２３、側面２４、側面２５及び側面２６の各々には、底面１１から上面２１に向かって左側領域に嵌合突起２７が上下に１個ずつ形成され、右側領域に６角形の嵌合孔２８が上下に１つずつ形成されている。この嵌合突起２７は嵌合孔２８に嵌合可能となっている。この嵌合突起２７と上記嵌合孔２８とを嵌合させることで、キューブブロック同士が結合される。この場合、結合しようとするキューブブロック３，３の上下方向の向きを合致させ側面同士を正対させれば、キューブブロック３の一の側面に対して他のキューブブロック３のどの側面でも結合させることができる。
【００２５】
(上半部と下半部の結合構造)
キューブブロック３は上半部２９と下半部３０とから構成されている。上半部２９の内側の４つの隅の各々には、図９(Ａ)に示すように、円柱突起３１が１個ずつ形成されている。また、下半部３０の内側の４つの隅の各々には、図９(Ｂ)に示すように、上記円柱突起３０に嵌合可能な円筒孔３２が１個ずつ形成されている。この円柱突起３１を円筒孔３２に嵌合することによって、下半部２９と上半部３０とが組み付けられる。
【００２６】
２．相違点
(キューブブロック３ａ)
キューブブロック３ａの上面２１には、図２に示すように、互いに対向する辺の幅方向中央まで延びる直線溝３３が形成されている。この直線溝３３はボール２の下半部を受容できるように断面半円状となっている。この直線溝３３は、それ自体で上面開放型のボール通路を構成する。また、直線溝３３は、上記十字溝１２の直線溝部分と上下方向で組み合わさってトンネル状且つ直線状のボール通路を構成する。
また、キューブブロック３ａには、高さ方向中程(中段)に、直線溝３３に平行に延び一端部が側面２４の中央に開口し且つ他端部が側面２６の中央に開口する断面円状の直線状のボール通路３５が形成されている。
【００２７】
(キューブブロック３ｂ)
キューブブロック３ｂの上面２１には、図４に示すように、９０度に折れ曲がる２つの直線溝を基調とし角部分にアールを形成した鉤状溝３６が形成されている。この鉤状溝３６はボール２の下半部を受容できるように断面半円状となっている。この鉤状溝３６は、それ自体で上面開放型のボール通路を構成する。また、鉤状溝３６は、上記十字溝１２の鉤状溝部分と上下方向で組み合わさってトンネル状且つ鉤状のボール通路を構成する。
また、キューブブロック３ｂには、中段に、鉤状溝３６の一方の直線溝部分に平行に延び一端部が側面２４の中央に開口し且つ他端部が側面２６の中央に開口する断面円状の直線状のボール通路３５が形成されている。
【００２８】
(キューブブロック３ｃ)
キューブブロック３ｃの上面２には、図６に示すように、底面１１の十字溝１２と同じ形の十字溝３８が形成されている。この十字溝３８はボール２の下半部を受容できるように断面半円状となっている。この十字溝３８は、それ自体で上面開放型のボール通路を構成する。また、十字溝３８は、上記十字溝１２と上下方向で組み合わさってトンネル状のボール通路を構成する。
また、キューブブロック３ｃには、一端部が十字溝３０の中央に開口し他端部が側面２４の中央に開口する断面円状の通路３９が形成されている。
【００２９】
(ボール２)
ボール２は、金属球(図示せず)を中空の球状のカバーで覆ったもので、カバーには誤って飲み込んだ際の気道確保用の孔が複数形成されている(図１参照)。
【００３０】
(キューブブロック例)
キューブブロック３ａ〜３ｃは上述のように構成されているが、キューブブロック３ａ〜３ｃの違いは、上面の溝の形と中段のボール通路の形である。この上面の溝の形と中段のボール通路の形の組み合わせによって、上記キューブブロック３ａ〜３ｃの外、様々なキューブフロック３が考えられる。
図１０は上面の溝と中段のボール通路とが互いに独立したキューブブロック３の例を示している。
図１０(Ａ)にはキューブブロック３の上面の溝の各種態様が、図１０(Ｂ)にはキューブブロック３の中段のボール通路の各種態様が示されている。図１０(Ａ)には、左から順に、上面２１に十字溝３８を設けたもの、直線溝３３を設けたもの、鉤状溝３６を設けたもの、Ｔ字状溝３７ａを設けたものが示されている。また、図１０(Ｂ)には、左から順に、中段にトンネル状且つ直線状のボール通路３５を設けたもの、トンネル状且つ鉤状のボール通路３７ｂを設けたもの、トンネル状且つＴ字状のボール通路３７ｃを設けたものが示されている。これらの上面の溝と中段のボール通路とを適宜に組み合わせることによって、上面の溝と中段のボール通路とが互いに独立したキューブブロック３が構成される。
【００３１】
また、図１１は上面の溝と中段のボール通路とが繋がったキューブブロック３の例を示している。なお、同図において、中央の孔は上面の溝と中段のボール通路とを連通させる孔を示している。
図１１(Ａ)にはキューブブロック３の上面の溝の各種態様が、図１１(Ｂ)にはキューブブロック３の中段のボール通路の各種態様が示されている。図１１(Ａ)には、左から順に、上面１２に十字溝３８を設けたもの、直線溝３３を設けたもの、鉤状溝３６を設けたもの、短直線溝３７ｄを設けたもの、Ｔ字状溝３７ａを設けたものが示されている。また、図１１(Ｂ)には、左から順に、中段にトンネル状且つ直線状のボール通路３５、トンネル状且つ鉤状のボール通路３７ｂを設けたもの、トンネル状且つ短直線状のボール通路３７ｅを設けたもの、トンネル状且つＴ字状のボール通路３７ｃを設けたものが示されている。これらの上面の溝と中段のボール通路とを適宜に組み合わせることによって、上面の溝と中段のボール通路とが互いに繋がったキューブブロック３が構成される。
【００３２】
その他、上面の溝と底面の溝とが孔(トンネル状のボール通路)で繋がったキューブブロック３や、中段のボール通路と底面の溝とが孔(トンネル状のボール通路)で繋がったキューブブロック３も考えられる。
【００３３】
(キューブブロック同士の結合例)  
図１２及び図１３はキューブブロック３ａとキューブブロック３ｃとの結合例を示している。
このうち図１２はキューブブロック３ａとキューブブロック３ｃとを同一高さ位置で結合したものであり、図１２(Ａ)，(Ｂ)の各図において上段は側面図、下段は平面図である。
図１２(Ａ)は上流側のキューブブロック３ａの上面の直線溝３３と下流側のキューブブロック３ｃの上面の十字溝３８とが繋がるようにキューブブロック３ａとキューブブロック３ｃとを結合させたものである。この場合には、ボール２はキューブブロック３ａの直線溝３３の一端から入り、直線溝３３を転動し、直線溝３３の他端からキューブブロック３ｃの十字溝３８の一端に入り、キューブブロック３ｃの真ん中でボール通路３９の一端の孔に入り、ボール通路３９の他端から排出される。
図１２(Ｂ)は上流側のキューブブロック３ｃの中段のボール通路３９とキューブブロック３ａの中段のボール通路３５とが繋がるようにキューブブロック３ｃとキューブブロック３ａとを結合させたものである。この場合には、四方からキューブブロック３ｃの十字溝３８に入ったボール２はキューブブロック３ｃの真ん中でボール通路３９の一端の孔に入り、ボール通路３９の他端からキューブブロック３ａのボール通路３５の一端に入り、ボール通路３５を転動し、ボール通路３５の他端から排出される。
【００３４】
図１３はキューブブロック３ａとキューブブロック３ｃとを半個分ずらして結合したものであり、図１３(Ａ)，(Ｂ)の各図において上段は側面図、下段は平面図である。
図１３(Ａ)は上流側のキューブブロック３ａの中段のボール通路３５と下流側のキューブブロック３ｃの上面の十字溝３８とが繋がるようにキューブブロック３ａとキューブブロック３ｃとを結合させたものである。この場合には、ボール２はキューブブロック３ａのボール通路３５の一端から入り、ボール通路３５を転動し、ボール通路３５の他端を経てキューブブロック３ｃの十字溝３８の一端に入り、さらに、キューブブロック３ｃの真ん中でボール通路３９の一端の孔に入り、ボール通路３９を転動し、ボール通路３９の他端から排出される。
図１３(Ｂ)は上流側のキューブブロック３ｃの中段のボール通路３９と下流側のキューブブロック３ａの上面の直線溝３３とが繋がるようにキューブブロック３ｃとキューブブロック３ａとを結合させたものである。この場合には、四方からキューブブロック３ｃの上面の十字溝３８に入ったボール２はキューブブロック３ｃの真ん中でボール通路３９の一端に入り、ボール通路３９の他端からキューブブロック３ａの直線溝３３の一端に入り、直線溝３３を転動し、直線溝３３の他端から排出される。
このように複数種類のうちの１つのキューブブロック３の上面の溝又は中段のボール通路と、他のキューブブロック３の上面の溝又は中段のボール通路とが繋がるようにキューブブロック同士を結合させることによって所望のボール通路を形成できる。
【００３５】
また、キューブブロック３ａ、３ｂ、３ｃを縦に結合させる場合には、図１４(Ａ)〜(Ｃ)に示すように、下側に設置したキューブブロック３の上面に形成された溝と上側に設置したキューブブロック３の底面に形成された十字溝１２とを重ね合わせることによって、下側に設置したキューブブロック３の上面に形成された溝の形通りのトンネル状のボール通路を形成することができる。
【００３６】
以上、本発明の実施形態について説明したが、本発明は、かかる実施形態には限定されず、その要旨を逸脱しない範囲で種々の変形が可能であることは言うまでもない。
例えば、上記実施形態では、キューブブロック同士を結合させるのに、嵌合突起と嵌合孔を設けたが、嵌合突起の代わりに面ファスナーのフック及びループの一方を、嵌合孔の代わりに面ファスナーのフック及びループの他方を設けてもよい。或いは、嵌合突起の代わりに磁石のＮ極及びＳ極の一方が外方を向くようにするとともに、嵌合孔の代わりに磁石のＮ極及びＳ極の他方が外方を向くようにしてもよい。この場合、Ｎ極とＳ極とを視覚上で識別できるように色、模様又は形状等を変えておくことが好ましい。このようにすれば、キューブブロック同士を簡単に結合させることができる。
【符号の説明】
【００３７】
１    ブロック組立体
２    ボール
１１   底面
１２   十字溝
２１   上面
１３   直線溝
１５   鉤状溝
２０   嵌合孔
２２   嵌合突起
２３〜２６    側面
２７   嵌合突起
２８   嵌合孔
３３   直線溝
３６    鉤状溝
３８   十字溝
１００    組立ブロック玩具
【図１】
2019180566.tif 000003
【図２】
2019180566.tif 000004
【図３】
2019180566.tif 000005
【図４】
2019180566.tif 000006
【図５】
2019180566.tif 000007
【図６】
2019180566.tif 000008
【図７】
2019180566.tif 000009
【図８】
2019180566.tif 000010
【図９】
2019180566.tif 000011
【図１０】
2019180566.tif 000012
【図１１】
2019180566.tif 000013
【図１２】
2019180566.tif 000014
【図１３】
2019180566.tif 000015
【図１４】
2019180566.tif 000016